(57)【要約】  アンテナフェーズドアレイを介して信号を無線で伝送するシステムと方法が開示されている。アレイ内の個々のアンテナ間の距離を減少させるため、アンテナは相互に直交するように配置されることに加えて、高誘電材料内に埋設される。これら両方の特徴は１以上のアンテナがカップリングすることを妨げる。さらに、ＲＦ信号を周囲で屈折させるためにワイヤが高誘電材料で被覆されており、アレイの中央側のアンテナに他の層を越えて成功裏に信号を伝送させる。【選択図】図３
2016528840.tif 000002
【特許請求の範囲】
【請求項１】
信号を無線で伝送するように構成されたコンパクトなアンテナアレイであって、
フェーズドアレイアンテナを形成すると共に、相互に対し実質的に直角な配置に配設されている複数のアンテナ素子と、
前記複数のアンテナ素子を実質的に埋設するように設けられた実質的に高い誘電率の誘電絶縁体であって、前記複数のアンテナ素子のそれぞれの間のスペースを減少させると共に、前記複数のアンテナ素子に、該複数のアンテナ素子の周囲でＲＦ信号を屈折させて信号伝送を増強させ、前記フェーズドアレイアンテナの中央付近の該複数のアンテナ素子の部分集合に、アンテナ素子の他の層を越えて信号を成功裏に伝送させることを可能にする、実質的に高い誘電率の誘電絶縁体と、
を備えてなることを特徴とするアンテナアレイ。
【請求項２】
前記の高い誘電率の誘電絶縁体が、３よりも実質的に大きな誘電係数を有する、請求項１に記載のアンテナアレイ。
【請求項３】
前記フェーズドアレイアンテナは、高誘電率の誘電材料でコーティングされた導電ワイヤによって結合されている、請求項１に記載のアンテナアレイ。
【請求項４】
前記フェーズドアレイアンテナは、回路ボード内にトレースを含んでおり、該トレースの一部は、空気の間隙または何らかの他の低誘電率の誘電材料で包囲されている、請求項１に記載のアンテナアレイ。
【請求項５】
信号伝送を増強するために、高誘電率の前記誘電材料は、低誘電率材料の領域に隣接して配置されている、請求項２に記載のアンテナアレイ。
【請求項６】
前記アンテナ素子は、回路ボードの隙間層内にエッチング加工されている、請求項１に記載のアンテナアレイ。
【請求項７】
前記アンテナ素子のパターンは準結晶である、請求項１に記載のアンテナアレイ。
【請求項８】
無線通信信号の伝送および無線電力伝送の方法であって、
実質的に直角な異なる位相を有するアンテナ素子のフェーズドアレイから高周波（ＲＦ）信号を放出し、前記アンテナ素子間での信号干渉を回避するステップと、
前記アンテナ素子のフェーズドアレイを結合するワイヤの周囲で前記ＲＦ信号を屈折させて信号伝送を増強し、アンテナ素子のフェーズドアレイの実質的に中央付近のアンテナ素子のアレイの部分集合に、前記アンテナ素子のフェーズドアレイの他の層を越えて信号を成功裏に伝送させるステップと、
を含んでいることを特徴とする方法。
【請求項９】
前記アンテナ素子のアレイが、実質的に３よりも大きな実質的に高い誘電係数を有した誘電絶縁体によって埋設されている、請求項９に記載の方法。
【請求項１０】
前記フェーズドアレイのアンテナ素子は、高誘電率の誘電材料でコーティングされた導電ワイヤによって結合されている、請求項９に記載の方法。
【請求項１１】
前記アンテナ素子のフェーズドアレイは、回路ボード内にトレースを含んでおり、該トレースの一部は、空気の間隙または何らかの他の低誘電率の誘電材料で包囲されている、請求項９に記載の方法。
【請求項１２】
信号伝送を増強するために、高誘電率の前記誘電材料は、低誘電率材料の領域に隣接している、請求項１０記載の方法。
【請求項１３】
前記アンテナ素子のフェーズドアレイは、回路ボードの隙間層内にエッチング加工されている、請求項１に記載の方法。
【請求項１４】
前記アンテナ素子のフェーズドアレイのパターンは準結晶である、請求項１に記載の方法。
【請求項１５】
フェーズドアレイアンテナの素子を作製する方法であって、
相互に実質的に直角である素子のアレイを高誘電率の回路ボード上に直接的にエッチング加工するステップと、
前記回路ボードの隙間層内に素子の前記アレイを形成するステップと、
高誘電率材料の層と低誘電率材料の層との間に間隙を形成するステップと、
素子の前記アレイを結合するワイヤを高誘電率の誘電材料でコーティングするステップと、
を備えてなることを特徴とする方法。
【発明の詳細な説明】
【技術分野】
【０００１】
本発明は概ね、無線信号伝送の分野に関し、特に、工業用アンテナアレイ（配列）のための新規で有用なシステムおよび方法に関する。
【背景技術】
【０００２】
多数の有用な利用形態が無線パルスの伝送に基づいている。その例には、伝送され、反射されたパルス（型）マイクロ波信号を使用したレーダ検出、並びに標的の身体組織を除去（アブレート）するためにパルスマイクロ波を利用する医療用アブレーション処置が含まれる。
【０００３】
その内容を本願で全面的に援用しているオシア社の２０１４年２月３日に出願された米国特許出願第１４／１７１７５０号は、複数の受信機への無線電力の伝送を最良化する伝送機を開示した。無線で電力を伝送するには、高周波（ＲＦ、無線周波）電力を方向付けるためにフェーズド（位相段列）アレイ伝送機が使用される。
【０００４】
フェーズドアレイ伝送機の伝送効率はアレイのアンテナ数に比例する。例えば、９０％を超える効率を到達するために、５ｍの距離で２．４ＧＨｚの信号を高効率で伝送するには、理論的にはアレイに約百万のアンテナを必要とする。しかし、標的から５ｍ内外の距離内に百万のアンテナを配置することは非常に困難である。それぞれのアンテナは臨在するアンテナとの直接的なカップリング（結合）を回避するために、自身のスペースを必要とし、よって、アレイのサイズは５ｍの距離の数倍にもなり得る。加えて、アレイが大きくなるに従って効率の良さも消滅し、ほとんどのアンテナは５ｍの範囲を外れるであろう。よって、アンテナの近接性によって導入される束縛を克服しつつ、アレイのサイズを減少させる手段が求められている。
【０００５】
アンテナの近接性によって導入される制約を克服しながらアレイのサイズを減少させる手段は本発明の実施態様において採用されている。
【先行技術文献】
【特許文献】
【０００６】
【特許文献１】（特になし）
【発明の概要】
【課題を解決するための手段】
【０００７】
本発明によれば、アンテナの近接性によって導入（又は誘発）される制約を克服しつつ、アレイのサイズを減少させる手段が提供される。アレイ内の個別のアンテナ間の距離を減少させるため、（アンテナは）相互に直交するように配置することに加えて、アンテナは高誘電材料内に埋設されるが、それら両方の特徴は１以上のアンテナのカップリングを排除する。さらに、ＲＦ信号を周囲で屈折させるためにワイヤ（線体）を高誘電材料内で覆い、アレイの中心側のアンテナに対して、その上方に存在する層を越えて信号を成功裏に伝送させる。
【０００８】
上述した本発明の様々な特徴は、単独でも組み合わせても実施可能である。本発明のそれら並びにその他の特徴は、以下の本発明の詳細な説明において以下の図面と共にさらに詳細に説明されている。
【０００９】
本発明をさらに明確に説明するため、以下の図面に言及して、幾つかの実施例を例示として説明する。
【図面の簡単な説明】
【００１０】
【図１】図１は、様々な無線利用形態のための異なる周波数および対応する波長、並びに伝送範囲を示す表である。
【図２】図２は、空中のアンテナと、高誘電材料内に埋設されている、それよりも顕著に小さなアンテナとのサイズの比較を示す。
【図３】図３は、アンテナの構成要素（素子）の一部がプリント回路ボードの前面（表面）から後面（裏面）に貫通した破線で表され、あらゆるタイプの偏向信号に対処するために３次元（立体）配置されたプリント回路ボード（ＰＣＢ）上のアンテナ（群）の配置を示す。
【図４Ａ】図４Ａは、空気中のＲＦ放射線の偏向を阻止するために必要とされるワイヤの密度を示す。
【図４Ｂ】図４Ｂは、ワイヤが誘電率ｐの誘電材料内に埋設されているときにＲＦ放射線の偏向を阻止するために必要とされるワイヤの密度を示す。
【図５】図５は、ＰＣＢ上に導電トレースをエッチング加工する技術と同じ技術を使用してエッチング加工された例示的な双極アンテナを示す。
【図６】図６は、４層を備えたＰＣＢの断面図であり、中央の２層はアンテナのエッチング加工に利用され、アンテナをＰＣＢの誘電材料内に埋設させる。
【図７】図７は、ＰＣＢの内部層が、空気または他の低誘電率材料で包囲されている導電ワイヤを収容しているＰＣＢの断面図である。
【図８Ａ】図８Ａは、信号が高誘電材料を離れようとするときに空気に対面し、信号を高誘電材料内に滞在させるように大きな総内面反射角の効果を発揮させる様子を図示する。
【図８Ｂ】図８Ｂは、相対的に少々低い誘電率の複数層を備えた高誘電材料が、大きい総内面反射角の影響なく内部信号を高誘電材料から空気中に逃避させる光学レンズのコーティング技術に類似する技術を図示する。
【図９】図９は、本発明の一つの好ましい実施形態に従う直角配向性のアンテナを図示する。
【図１０】図１０は、アンテナの準結晶配列を図示する。
【図１１】図１１は、本発明のシステム全体の一好適実施形態を図示する。
【発明を実施するための形態】
【００１１】
［詳細な説明］
本発明は添付の図面に図示されている本発明の幾つかの実施例に関連して、以下に詳細に説明される。以下の説明では、本発明の完全な理解のために多数の特定の細部が記述されている。しかし、当該技術分野の技術者であれば、それら実施例はそれら特定の細部の一部または全部を除いても実施することが可能であることを理解するであろう。その他の場合には、本発明を不必要に曖昧化しないように、周知のプロセスステップ及び／又は周知の構造は詳細には説明されていない。実施例の特徴および利点は、図面および続く説明を参考にして理解されるであろう。
【００１２】
本発明の例示的な実施例の態様、特徴および利点は、添付の図面に関する以下の説明によって更に深く理解されるであろう。ここに提供されている本発明の説明されている実施例は本発明の説明のみを目的としたものであり、本発明の限定は意図されておらず、あくまで例示として提供されていることは当該技術の技術者には明白であろう。この明細書で開示されている全ての特徴部は、別個に明示的に記載されていない限り、同一目的または類似目的に適う別な特徴部によって置換が可能である。従って、それらの変更の多数の他の実施形態が、ここに定義されている本発明の範囲内およびその均等物の範囲内に入ることが想定されている。よって、例えば、“・・・となるであろう”、“・・・とはならないであろう”、“・・・であろう”、“・・・ではないであろう”、“・・・にならねばならない”、“・・・であってはならない”、“まず始めに”、“当初は”、“次に”、“続いて”、“・・・の前に”、“・・・の後に”、“最後に”および“最終的に”のごとき独立用語及び／又は順次用語は、ここに開示されている実施例が単なる例示であるため、本発明の範囲を限定する意味を有しない。
【００１３】
フェーズドアレイアンテナのサイズはフェーズドアレイ内の素子（又は要素）間のスペース（空間）に直接的に比例する。これら素子間のスペースは、アンテナ素子が埋設されている材料内での高周波（ＲＦ）伝送に関与する物理理論によって決定され、いかに接近してアンテナ同士が配置できるかの限界を招く。
【００１４】
最も単純なケースでは、対面する２つのアンテナが１波長分だけ離れて隣接配置できる。それより少しでも近いと、近接による様々な不都合な副作用が大きな問題となり、２つのアンテナを有することの利点を台無しにする。これら副作用の１つは、それら２つのアンテナが１つのアンテナとして機能することであり、逆効果になることである。なぜならフェーズドアレイアンテナによって無線信号を方向付ける可能性は、個別のアンテナ素子に割り当てられる独特な位相（フェーズ）を有することに依拠するからである。アンテナフェーズは注意深く制御され、相互に異なることが想定されている。よって、アンテナアレイ素子間の最低距離はアレイの最低サイズを決定する。
【００１５】
アンテナ素子間の最低距離は波長に直接的に関係しており、その波長は周波数に反比例するので、伝送されている周波数と、アンテナ素子が埋設されている媒質（又は媒体、medium）とを知ることによってアンテナアレイのサイズが決定できる。無線信号の幾つかの可能な実施形態が存在するが、それぞれ図１で示すような好適な周波数を備える。図表（チャート）１００は、異なる無線利用形態１１０に使用されるアンテナを説明する。周波数１２０は、無線利用形態１１０に関して通常に利用される周波数である。波長１３０は、周波数１２０に関連する真空または空気中のおよその波長値である。各無線利用形態１１０について、それぞれが１ワットの電力を伝送する際の対応する伝送範囲１４０が、提示されている。
【００１６】
一般家庭またはビジネス環境内では、無線信号の周波数は１ＧＨｚから８ＧＨｚの範囲である。使用されている１つの一般的な周波数は、図１の図表１００に示すように、真空中または空気中の１２．５ｃｍの波長に対応する２．４ＧＨｚである。例えば、立方体形状のフェーズドアレイの１辺のアンテナ素子数が４０であれば、この一般的な周波数の下では、この立方体の各辺の長さは約１６フィート（１２．５ｃｍ×４０＝５ｍ）となるであろう。これは真に一般家庭サイズのアレイである。しかし、この巨大な立方体内には一般家庭のための余地は存在しない。なぜなら、このアレイは、３方向の次元全てに、それぞれ約５インチ間隔で離れたアンテナ素子の集団を持たなければならないからである。よって、アンテナ素子間の距離を減少させつつ、アレイの有利な特性を保存する方法が発見されなければならない。
【００１７】
上述の計算に関与する距離は、真空中または空気中の電磁波長に基づく。これら距離の計算における重要な因子は自由空間の誘電率に深く関係する。もしアンテナアレイの本体を形成する材料の誘電率を変化させることができるなら、周波数を一定に保ちつつ関与する距離に影響を及ぼすことができる。これは、誘電媒質の誘電率が高いため、通常は真空または空気の誘電率よりも高い誘電率を有する誘電媒質内での電磁波の減少した速度のお陰である。
【００１８】
しかしながら、誘電媒質は注意深く選択されなければならない。なぜなら、異なる材料によって導入があり得る多数の他の副作用が存在するからである。例えば、金属は有利な高誘電率を有することができる。しかし、金属は利用形態と対立する多数の不都合な属性も導入する。金属は高周波（ＲＦ）を反射し、ＲＦ放射線を吸収して、それを熱に変換することができる。金属は様々な形状に加工されることで送信（伝送）／受信（受領）アンテナの構築にも使用され、よって、アンテナ素子が埋設される媒質（又は媒体）としては使用できない。
【００１９】
有望な高誘電係数を備えた他の種類の材料は存在するが、それら材料は、それらを通過するＲＦエネルギーの減衰等の他の諸問題を発生させる。高重量は別の問題であり得る。これらの特性も本願では望まれていない。
【００２０】
しかし、望ましい誘電係数を有し、物理の分野の欠点は一切有していない材料の種類は存在する。その一部は法外な費用を必要とせずに入手できさえする。これらはロジャーズ材料(Rogers materials)であり、それらからＲＦ４ファイバグラス回路ボード（および他の製品）が作製される。これら材料は、ｐ＝３からｐ＝３０の範囲の誘電係数を有する。ｐ＝３０の誘電係数とは、図１の図表１００の距離用語（即ち波長１３０および伝送範囲１４０）が、図表１００の再び同一周波数１２０にて√３０の因数によって減少又は除算できる(can be reduced)ことを意味する。このサイズ減少は図２において示されている。１例として、四半波長(quarter-wavelength)アンテナシステム２００に対する材料誘電係数ｐの影響を考える。四半波長アンテナ２１０は図２（ａ）に示されている。四半波長アンテナ２１０は空気中であり、長さｌ（エル）を有する。使用されている材料が誘電係数ｐを有するところの、四半波長アンテナ２２０は図２（ｂ）に示されている。四半波長アンテナ２２０の長さは、１／√ｐ（ルートｐ分のイチ）の因数（又は倍数）に減少される。
【００２１】
上述の四半波長アンテナシステム２００で作製された、誘電係数＝３０の媒質に埋設されている４０（個）の素子を含んだ立方体形状のアレイを考察するなら、この立方体のサイズを、３つの次元のそれぞれにおいて√３０の因数で除算することにより減少させることで、高さ、幅および奥行き（深さ）が約３６インチの新しい立方体が得られる。実際の新計算は、（１２．５ｃｍ×４０／√３０＝０．９１ｍ＝３５．９インチ）となり、それぞれの縁部（辺）が３６インチを下回る立方体となる。さらに、アンテナの高密度状態での詰め込みが半波長程度にまでなり得ることを考慮すれば、その数値を１８インチに半減させることは可能である。
【００２２】
大量のアンテナをこの立方体内に収容するため、本発明の１実施例はプリント回路ボード（ＰＣＢ）上でそれらを特定の形態に配置する。この構造では、図３に示すアンテナ構造３００で図示するように、全てのタイプの偏向した信号を網羅するためにアンテナは立体的に敷設される。前面から背面まで回路ボードを貫通する当該アンテナの成分（コンポーネント）は、破線で表わされている。このアンテナ構造３００は、相互の干渉を最小化しながら大量のアンテナを近接させて配置させるであろう。
【００２３】
図４Ａは、波偏向がワイヤ（導線）の配向方向に対して垂直方向であると想定して、仮に、その“波”４１０がＲＦ放射波長４４０に等しい長さｄ又はそれ以下の間隔４３０をもった導電ワイヤ４２０によって遮られたら、どのようにして偏向するＲＦ放射を遮断することができるかを示している。
【００２４】
本発明の１実施例によれば、もし、ワイヤ４６０が誘電率ｐの誘電材料内に埋設されていれば、間隔４７０はｄ／√ｐに減少し、図４Ｂに示すように高密度化された線（線の間隔）となる。よって、アレイ装置全体の最少サイズが減少する。
【００２５】
従って、アレイのサイズが規制された状態では、本発明の１実施例は、ＰＣＢ上に回路を供給し制御するワイヤを誘電率ｐ（ｐは実質的に１より大きい）の誘電材料内に埋設することを推奨する。
【００２６】
図５で示すように、本発明の１実施例は、ＰＣＢ上に導電トレースをエッチングするのと同じ技術を使用してエッチング加工したアンテナ５００をＰＣＢ上に有しており、コンポーネントを追加することなく回路ボード内にアンテナを構築させ、アンテナの製造コストを低減させている。パターン５１０、５２０および５３０は、本発明のこの実施例に基づいてＰＣＢ上に容易に構築できる例示的な双極アンテナである。
【００２７】
図６に示すように、形態６００における本発明の１実施例は、アンテナがＰＣＢの誘電材料内に確実に十分に埋設されるように、アンテナをエッチングするために複数の層を備えたＰＣＢの内部層６１０、６２０、６３０、６４０を使用する。
【００２８】
図７は、空気の間隙７２０または他の低誘電材料によって包囲されているＰＣＢ材料内の、ほとんど視認できないトレース７１０を示しており、かくして、それらを高度に反射的なスペースとしている。但し、これは有用である、というのも、高誘電材料から低誘電材料への移動によって、殆どの信号はその境界で反射されるからである。
【００２９】
図８Ａに示すように、空気のごとき低誘電媒質８２０に対面して高誘電材料８３０を離れようとする信号８１０は、高い総内面反射角８４０を示し、高誘電材料８３０内に信号を滞留させるが、このことはアンテナアレイには不都合である。
【００３０】
この問題を回避するため、本発明の１実施例は図８Ｂの態様を含む。この態様では、ＰＣＢの外側層は、高誘電材料で作製されている内側層８７０の誘電率よりも低い誘電率の材料８６０で作製されている。これで内部信号８８０は、光学レンズのコーティングの場合と同様に、高い総内面反射角に遭遇して影響されることなく高誘電材料８７０から空気中に逃避することができる。
【００３１】
相互に直交するアンテナの対が干渉し合わないことを考慮するなら、さらなる減少が実現可能である。このように、整合したアンテナによって、１つのアンテナと同じ体積に５つのアンテナが配置できる。
【００３２】
これらの直交配向性は、３次元での任意の方向性でクライエント装置（顧客に相当する装置）に信号を送付できるという利点も有する。この発明によれば、任意の角度がアンテナの配向に利用できる。
【００３３】
図９で図示するように、上下に配置できる２つの形状パターンによって、４５°の配向９００であっても有効である。これらのパターンは４５°のレイアウトのアンテナを有するだけでなく、それら２つのパターンは交互層上に上下に積層配置することができ、アンテナのそれら２つのアレイは相互に直交するであろう。
【００３４】
多数のアンテナを接近配置し、全てのアンテナにＲＦ信号を様々な方向に送出させると、立方形アレイの中央付近のアンテナが、信号をアレイの外部のクライエント装置に送付するための非妨害通路を有することができないことを想像することは容易であろう。結局のところ、その他のアンテナの数が重要である。本発明の１実施態様では、１５０を超える他の層のアンテナを百万のアンテナアレイの中央からの通路に有しており、信号は外出過程で全ての他のアンテナを回避する必要があるだけではなく、それらアンテナ回路に供給する相当程度の電力および接地配線も回避しなければならない。
【００３５】
必要とされるのは、直線状に進行し、進行方向の全行程において全ての他の配線を十分に回避できるように曲がるＲＦ信号を作成することである。ワイヤは、蝋燭を作る要領で、徐々に高い高誘電材料を反復的にコーティングできる。ガラスによって光線が曲げられるように、ＲＦ信号通路は高誘電材料によって曲げられる。継続して高くなる誘電材料でコーティングされたワイヤの各層間のインターフェースを介してＲＦが十分に屈折されると、アンテナからのＲＦ信号は全て内側のワイヤの周囲を通過するであろう。これでアレイは、そこ（ワイヤ）を通過するＲＦに対して本質的に“不可視”であるワイヤによって電力が供給される。
【００３６】
これは、図７に示す実施例のごとくに、ＰＣＢ材料内に空気の間隙または何らかの他の低誘電材料で包囲されたトレースを創出し、配線ボード内のトレースを高度に反射的なスペースにすることを可能にすることで改善される。この高誘電材料から低誘電材料への信号の移動において、殆どの信号はその境界で反射し、ワイヤのごとき潜在的な妨害物体の周囲を進行することであろう。これは信号を受領するアンテナの性能に影響を及ぼすかも知れない、というのも、ワイヤの中央に直接的に照準された信号だけがアンテナリード線の周囲で偏向しないであろうからである。
【００３７】
図１０に示すように、本発明の１好適実施例は、アレイ１０００のアンテナが、全方向に非周期的（すなわち非反復的）な準結晶形態１０１０に配置されることを推奨する。画像１０２０は、五角形に収納されている５つのアンテナの全ての集積体を示しており、この配列の非周期性を示している。この非周期性デザインは、アレイの配置全般を通じてアンテナ密度を維持し、同時にアンテナが過度に相互接近することでカップリングすることがないようにしている。さらに、そのような非周期性デザインは、フェーズドアレイの自然な指向性を抑制し、自然な（すなわち不都合な）方向性を抑制することで、任意方向での増加した電力の搬送を可能にする。
【００３８】
上記の準結晶配列は非周期性であるが、層内に同じデザインの幾つかの配列を有することは、いずれにしろ周期的な方向性を創出するであろう。これは信号増幅には不都合である。この問題を回避するため、本発明の１好適実施例は、異なった部分（セクション）の準結晶デザインから作成されるアレイの各層を有し、かくして、層内を通じて同じ積層パターンを回避するものである。
【００３９】
別な問題は、準結晶のデザインの中央部が大抵は所定の角度で対称であり、それらのパターンの非周期性を弱める。この問題を回避するため、本発明の１実施例は、中央部からさらに離れている準結晶のデザインの部分を活用する。
【００４０】
図１１は、本発明のシステム１１００の全体の１好適実施例を図示する。このシステムは複数のＰＣＢ１１１０を含んだ３次元形態で提供されており、それぞれのＰＣＢは、高密度に詰め込まれたアンテナ１１２０のアレイを収納する高誘電材料を含んでおり、これらアンテナは相互に対して有角姿勢に配向されており、アンテナはさらに準結晶のパターンに配列されている。これらＰＣＢは、高誘電材料に収納されているワイヤ１１３０を含んだ内部ＰＣＢ接続によって電気的に結合されている。これらＰＣＢは、ＲＦに対し透過性の材料で作製された収容体１１４０内に収容されており、信号伝送を妨害しないようになっている。この収容体は、ＰＣＢの誘電率よりも低い誘電率を有した材料で作製することができる。
【００４１】
本発明は、無線信号伝送の範囲を犠牲にすることなくアンテナのフェーズドアレイのサイズを減少するためのシステムと方法を提供する。無線信号は、電力、データまたは無線で伝送できる任意の他の信号を含むことができる。そのようなシステムの利点は、限られたスペースにフェーズドアレイを保存する能力を含んでおり、無線信号伝送を、一般家庭または自動車でのごとき、さらに広範な範囲の状況において利用を可能にする。
【００４２】
本発明は幾つかの実施態様に関連させて説明されているが、本発明の範囲内に別態様、変更、置換、および均等物が存在する。ここには本発明の説明の助けとなるように区分名(sub-section titles)が提供されているが、それら区分名は単に説明のためであり、本発明の範囲を限定することは意図されていない。
【００４３】
本発明の方法および装置を利用する多数の別方法が存在することは理解されるべきである。従って、「特許請求の範囲」は、本発明の精神と範囲内に入るそのような全ての別態様、変更、置換および均等物を含むものと解釈されるべきである。
【図１】
2016528840.tif 000003
【図２】
2016528840.tif 000004
【図３】
2016528840.tif 000005
【図４Ａ】
2016528840.tif 000006
【図４Ｂ】
2016528840.tif 000007
【図５】
2016528840.tif 000008
【図６】
2016528840.tif 000009
【図７】
2016528840.tif 000010
【図８Ａ】
2016528840.tif 000011
【図８Ｂ】
2016528840.tif 000012
【図９】
2016528840.tif 000013
【図１０】
2016528840.tif 000014
【図１１】
2016528840.tif 000015
【国際調査報告】
2016528840.tif 000016